(57)【要約】【課題】使用者が表示部上にアンダーライン等の線を描くことが可能な表示装置を提供する。【解決手段】本発明の表示装置１は、表示部２と、任意の指示体７の接触位置を検出する位置検出手段５と、を備え、第１の色による表示と第２の色による表示とを切り換えて表示を行う複数の通常表示用画素と、第３の色による表示を行う複数の線表示用画素とを有し、表示部２は、複数の通常表示用画素をマトリクス状に配列してなる通常表示部と、複数の線表示用画素を表示部の一方向に配列してなる画素列が複数本、所定の間隔をおいて配置された線表示部と、を有し、位置検出手段５が検出した接触位置に対応する位置の線表示部により第３の色による線の表示を行う。【選択図】図１
2009237395.tif 000002
【特許請求の範囲】
【請求項１】
複数の画素がマトリクス状に配列されてなる表示部と、前記表示部上の任意の位置に指示体が接触した際にその接触位置を検出する位置検出手段と、を備え、
前記複数の画素は、第１の色による表示と、前記第１の色と異なる第２の色による表示と、を切り換えることで表示を行う複数の通常表示用画素と、前記第１の色とも前記第２の色とも異なる第３の色による表示を少なくとも行う複数の線表示用画素と、を有し、
前記表示部は、前記複数の通常表示用画素をマトリクス状に配列してなる通常表示部と、前記複数の線表示用画素を前記表示部の第１の方向に沿って配列してなる画素列が複数本、前記第１の方向と直交する第２の方向に所定の間隔をおいて配置された線表示部と、を有し、
前記複数本の線表示部のうち、前記位置検出手段が検出した前記指示体の接触位置に対応する位置の前記線表示部によって前記第３の色による線の表示を行うことを特徴とする表示装置。
【請求項２】
前記第２の方向における前記線表示部の画素ピッチが、前記第２の方向における前記通常表示部の画素ピッチよりも小さいことを特徴とする請求項１に記載の表示装置。
【請求項３】
前記第２の方向における前記線表示部の画素ピッチが、前記第２の方向における前記通常表示部の画素ピッチよりも大きいことを特徴とする請求項１に記載の表示装置。
【請求項４】
前記線表示部を構成する画素列の中に前記通常表示用画素を一部混在させたことを特徴とする請求項２または３に記載の表示装置。
【請求項５】
前記表示部には、複数のデータ線と複数の走査線とが格子状に設けられており、
前記複数の線表示用画素による画素列が延在する前記一方向は、前記走査線に沿う方向であることを特徴とする請求項１ないし４のいずれか一項に記載の表示装置。
【請求項６】
前記表示部が記憶性を有する表示体で構成され、
前記複数の線表示用画素が配列された画素列のみを走査する走査線ドライバを備えたことを特徴とする請求項５に記載の表示装置。
【請求項７】
前記表示体が電気泳動表示体であり、
前記第１の色が白、前記第２の色が黒、前記第３の色が赤であることを特徴とする請求項６に記載の表示装置。
【請求項８】
請求項１ないし８に記載の表示装置を備えたことを特徴とする電子機器。
【発明の詳細な説明】
【技術分野】
【０００１】
本発明は、表示装置および電子機器に関し、特に、表示部上にアンダーライン等の線を描くことが可能な表示装置に関するものである。
【背景技術】
【０００２】
一般に、パーソナルコンピュータなどでは解像度が１００ｐｐｉ程度のフルカラーディスプレイが使用されている。例えば、液晶ディスプレイの場合、１ピクセルを赤（Ｒ）、緑（Ｇ）、青（Ｂ）の３色のサブピクセルに分け、各サブピクセルにＲ，Ｇ，Ｂのカラーフィルタを配置してフルカラー表示を実現している。解像度が１００ｐｐｉ程度であれば、サブピクセルのピッチでも３００ｐｐｉであり、従来の薄膜トランジスタ（Thin Film Transistor, 以下、ＴＦＴと略記する）形成技術で充分に実現が可能である。
【０００３】
一方、電気泳動ディスプレイが良く用いられる電子ペーパーなどの用途においては、紙に印刷したのと同等の表示品質が必要となるため、プリンタと同等レベルの解像度（例えば４００〜６００ｐｐｉ程度）が要求される。これをサブピクセル方式で実現しようとした場合、例えば１２００〜１８００ｐｐｉといった解像度が必要となり、従来のＴＦＴ形成技術ではこれに合わせてトランジスタサイズを縮小することが難しく、実現が困難であった。
【０００４】
また、ディスプレイの駆動制御においても、サブピクセルによって駆動すべき画素が３倍になるため、特に高解像度、大面積のディスプレイでは表示データ量が増大し、表示速度が遅くなり、制御の負荷が大きくなるという課題もあった。以上の理由から、電子ペーパー等の用途では現在のところフルカラー表示の実現は困難であり、フルカラー表示に代えて、マルチカラー表示が可能な電気泳動表示装置が提案されている（例えば特許文献１参照）。
【特許文献１】特開２００２−２０２５３３号公報
【発明の開示】
【発明が解決しようとする課題】
【０００５】
ところで、電子ペーパーに用いる表示装置には、紙と同様にペンによる書き込みを行いたいという要求がある。特に、紙の印刷物を読むときと同様、使用者は、文章中の注意を喚起したい箇所等にアンダーライン（下線）を引いてマーキングしたいという要望を持っている。しかしながら、従来、このような要望を満足し得る表示装置は実現されていなかった。より好ましくは、アンダーラインを引く際には、紙にペンで書くのと同様、画面をペンでなぞると瞬時にアンダーラインが表示に現れる必要があった。
【０００６】
本発明は、上記の課題を解決するためになされたものであって、使用者が表示部上にアンダーライン等の線を描くことが可能な表示装置を提供することを目的とする。また、上記の表示装置を搭載し、電子ペーパー等に用いて好適な電子機器の提供を目的とする。
【課題を解決するための手段】
【０００７】
上記の目的を達成するために、本発明の表示装置は、複数の画素がマトリクス状に配列されてなる表示部と、前記表示部上の任意の位置に指示体が接触した際にその接触位置を検出する位置検出手段と、を備え、前記複数の画素は、第１の色による表示と、前記第１の色と異なる第２の色による表示と、を切り換えることで表示を行う複数の通常表示用画素と、前記第１の色とも前記第２の色とも異なる第３の色による表示を少なくとも行う複数の線表示用画素と、を有し、前記表示部は、前記複数の通常表示用画素をマトリクス状に配列してなる通常表示部と、前記複数の線表示用画素を前記表示部の第１の方向に沿って配列してなる画素列が複数本、前記第１の方向と直交する第２の方向に所定の間隔をおいて配置された線表示部と、を有し、前記複数本の線表示部のうち、前記位置検出手段が検出した前記指示体の接触位置に対応する位置の前記線表示部によって前記第３の色による線の表示を行うことを特徴とする。
なお、ここで言う「指示体」とは、使用者が線を引きたい箇所を指定する際に用いるものであり、例えばペン、ある程度先の尖った任意の器具、使用者の指などを含む概念である。
【０００８】
本発明の表示装置によれば、複数の通常表示用画素がマトリクス状に配列された通常表示部で文字や画像等の主たる表示（以下、主表示という）が行われ、複数の線表示用画素が表示部の第１の方向に沿って配列された画素列が複数本、第２の方向に所定の間隔をおいて配置された線表示部で線の表示が行われる。このとき、通常表示用画素では第１の色と第２の色との切り換えで主表示を行い、線表示用画素では第３の色で表示を行うため、線の表示色と文字や画像等の表示色とは異なるものとなる。そこで、使用者が指示体を表示部上の線を引きたい箇所に接触させると、複数本の線表示部のうち、指示体の接触位置に対応する位置の線表示部によって線の表示が行われる。本発明の表示装置では、このようにして、使用者が表示部上にアンダーライン等の線を描くことができる。
なお、以下の説明では、文章を簡略化するため、絵のみではなく、文字等も含めて「画像」と呼ぶことにする。
【０００９】
本発明の表示装置において、前記第２の方向における前記線表示部の画素ピッチが、前記第２の方向における前記通常表示部の画素ピッチよりも小さい構成としてもよい。
本発明の表示装置の場合、表示部の一部が線表示部に費やされ、線表示部を構成する線表示用画素は通常表示用画素と同色の表示ができないため、画像の表示に完全には寄与できない。したがって、場合によっては、線表示部が画像の表示の解像度やコントラストを低下させる原因となる虞がある。その点、第２の方向における線表示部の画素ピッチが通常表示部の画素ピッチよりも小さい構成とすれば、主表示の解像度やコントラストの低下を小さく抑えることができる。また、ページが変わったときなど、主表示が変化して画像が線表示部を跨るような場合でも、画像の欠損を最小限に抑え、目立たないようにすることができる。
【００１０】
あるいは、前記第２の方向における前記線表示部の画素ピッチが、前記第２の方向における前記通常表示部の画素ピッチよりも大きい構成としてもよい。
この構成によれば、上述した主表示の解像度やコントラストの低下等のデメリットは多少あったとしても、線を太く描くことができ、線表示を強調することができる。
【００１１】
本発明の表示装置において、前記線表示部を構成する画素列の中に前記通常表示用画素を一部混在させてもよい。
この構成によれば、線表示部を構成する画素列の中で線表示用画素が連続して存在する割合が小さくなるため、線表示部内においても主表示の解像度やコントラストの低下を小さく抑えることができる。また、主表示と線表示とが若干混ざったような効果、いわゆる「ぼかし」の効果が生じるため、画像の欠損による違和感を抑えることができる。
【００１２】
本発明の表示装置において、前記表示部に複数のデータ線と複数の走査線とが格子状に設けられている場合、前記複数の線表示用画素による画素列が延在する前記一方向は、前記走査線に沿う方向であることが望ましい。
この構成によれば、通常表示モードと線引きモードを使い分ける場合などに表示部の駆動がより行い易くなる。また、線表示部のためにデータ線の本数を増やす必要がないため、装置の構造や制御を複雑にすることなく実現が可能である。
【００１３】
本発明の表示装置において、前記表示部が記憶性を有する表示体で構成されている場合、前記複数の線表示用画素が配列された画素列のみを走査する走査線ドライバを備えることが望ましい。
この構成によれば、表示部が記憶性を有する表示体で構成されているため、通常表示部では常に走査を続けていなくても主表示が保持される。このとき、走査線ドライバが通常表示用画素が配列された領域を飛び越して、線表示用画素が配列された画素列のみを走査するため、線を引く際の描画速度を速めることができる。これにより、使用者がそれ程違和感やじれったさを感じることなく、快適に線を描くことができる。
【００１４】
本発明の表示装置において、前記表示体が電気泳動表示体であり、前記第１の色が白、前記第２の色が黒、前記第３の色が赤である構成を採用できる。
この構成によれば、紙等の印刷物に赤のペンで線を引くような感覚で用いることができ、電子ペーパー等に用いて好適な表示装置を実現することができる。
【００１５】
本発明の電子機器は、上記本発明の表示装置を備えたことを特徴とする。
この構成によれば、使用者が紙等の印刷物と同等な感覚で用いることができ、電子ペーパー等に好適な電子機器を実現することができる。
【発明を実施するための最良の形態】
【００１６】
［第１の実施の形態］
以下、本発明の第１の実施の形態を図１〜図４を参照して説明する。
本実施形態の表示装置は、表示部として電気泳動表示体を用いた電気泳動表示装置の例であり、白と黒のモノクロ表示による画像に赤のアンダーラインを引くことが可能なものである。
図１は本実施形態の表示装置の概略構成図である。図２は表示部を構成する電気泳動表示体の断面図である。図３は同表示部の画素構成を示す平面図である。図４は同表示装置による表示の一例を示す図である。
なお、以下の各図面においては、図面を見やすくするため、各構成要素によって適宜寸法の縮尺等を変えることがある。
【００１７】
本実施形態の表示装置１は、図１に示すように、電気泳動ディスプレイからなる表示部２と、走査線ドライバ３と、データ線ドライバ４と、位置検出手段５と、ディスプレイコントローラ６と、を有している。また、線を引く際には、どのような器具を用いても良いし、指等を用いても良いが、ここではペン状の指示体７を用いることとして説明する。
【００１８】
本実施形態では、表示部２として、アクティブマトリクス型の電気泳動ディスプレイが用いられる。これは周知の構成であるため、図示は省略するが、電気泳動ディスプレイを構成する基板には、複数の走査線と複数のデータ線とが互いに交差するように格子状に設けられ、走査線とデータ線とにより区画された領域が１つの画素となり、各画素内に画素電極が設けられている。また、各走査線と各データ線の交差点の近傍には、後述する電気泳動材料層への駆動電圧を画素電極に印加するためのＴＦＴが設けられている。
【００１９】
走査線ドライバ３は、電気泳動ディスプレイの各走査線に対して走査信号を供給する駆動回路である。データ線ドライバ４は、電気泳動ディスプレイの各データ線に対してデータ信号（画像信号）を供給する駆動回路である。さらに本実施形態の場合、データ線ドライバ４は、各データ線に対して本来のデータ信号（画像信号）を供給するのみならず、アンダーラインを表示するための信号も供給する。ディスプレイコントローラ６は、走査線ドライバやデータ線ドライバに走査信号やデータ信号（画像信号）、アンダーライン表示用信号等を供給するものである。位置検出手段５には、例えば抵抗膜方式、静電誘導結合方式、電磁誘導方式等の周知の位置検出装置を用いることができる。
【００２０】
電気泳動ディスプレイの表示領域の一部を拡大した図が図３である。ここでは、格子によって区画された１個のマス目が１個の画素を示しており、図３におけるＸ方向を走査線の延在方向かつ画面の水平方向（特許請求の範囲における「第１の方向」）、Ｙ方向をデータ線の延在方向かつ画面の垂直方向（特許請求の範囲における「第２の方向」）とする。また、複数の画素が走査線の延在方向に直線状に配列された画素群のことを「画素列」または「ライン」と呼ぶことにする。
【００２１】
図３に示すように、本実施形態の場合、最上段から１０ライン目までの画素列を見ると、複数の通常表示用画素１１からなる画素列が９ライン分、データ線の延在方向に配列され、本来の目的とする画像を表示するための通常表示部１３が構成されている。そして、１０ライン目に複数の線表示用画素１２からなる画素列が１ライン設けられ、アンダーラインを表示するための線表示部１４が構成されている。その下側は上記構成の繰り返しである。
【００２２】
電気泳動ディスプレイは、図２に示すように、第１基板１６と第２基板１７との間に電気泳動材料層１８が挟持された構成である。第１基板１６がＴＦＴアレイ基板であり、第１基板１６の電気泳動材料層１８側の面には画素電極１９が形成されている。第２基板１７が対向基板であり、第２基板１７の電気泳動材料層１８側の面には共通電極２０が形成されている。これら画素電極１９と共通電極２０とによって電気泳動材料層１８に対して駆動電圧が印加される。
【００２３】
また、第１基板１６と第２基板１７との間には隣接する画素間を区画する隔壁２１が設けられており、隔壁２１に囲まれた空間内に複数の電気泳動粒子２２，２３，２４を分散媒２５中に分散させた電気泳動材料液が充填されている。図２に示す３個の画素のうち、右側の画素と左側の画素とが通常表示用画素１１であり、中央の画素が線表示用画素１２である。通常表示用画素１１では、例えば正に帯電した黒色粒子２２と負に帯電した白色粒子２３とが分散媒２５中に分散されている。線表示用画素１２では、例えば正に帯電した赤色粒子２４と負に帯電した白色粒子２３とが分散媒２５中に分散されている。このように、異なる電気泳動材料液を画素毎に分けて入れるには、例えばインクジェット法等を用いて各電気泳動材料液を各空間に対して選択的に吐出し、封入する方法を採ることができる。あるいは、マイクロカプセル法を用いて作り分けても良い。
【００２４】
本実施形態の表示装置１による表示の一例を図４に示す。ここでは、「Ａ」、「Ｂ」、「Ｃ」、「Ｄ」の４文字を黒で表示しており、「Ａ」と「Ｄ」の文字の下の５個の線表示用画素１２を赤表示とすることで赤のアンダーラインを引いてある。また、図示を簡略化して見易くするため、７画素×５画素程度の画素数で１つの文字を表現しており、低解像度の例、すなわち画素ピッチが大きい例を示している。例えば１つの文字が線表示部１２を跨るように表示すると、線表示部１２では黒が表示できないため、白か赤の表示とするしかなく、特に低解像度の場合、画像の欠損の影響が大きくなり、画像の視認性が低下するため好ましくない。よって、図４に示すように、文字が完全に通常表示部１３内に収まるように表示を行うことが望ましい。
【００２５】
使用者が例えば「Ａ」、「Ｄ」の文字にアンダーラインを付したいとき、図１に示すように、指示体７で画面上のアンダーラインを付したい位置をなぞると、位置検出手段５は、指示体７が画面に接触し始めた点（始点）の座標、指示体７が移動する途中の任意の点の座標、指示体７が画面から離れた点（終点）の座標を順次検出し、検出信号をディスプレイコントローラ６に送信する。これにより、ディスプレイコントローラ６は、指示体７の移動した軌跡、すなわち使用者が線を引いた画面上の位置、長さ等の情報を得ることができる。この情報に基づいて、ディスプレイコントローラ６は、本来の画像表示用制御信号に線表示用制御信号を重畳させてデータ線ドライバ４に送信し、走査線ドライバ３は複数の走査線を通常表示部１３、線表示部１４にわたって順次走査する。これにより、図４のような表示画面が得られる。
【００２６】
ここで、指示体７が線表示用画素１２の直上に接触したときだけ、線表示を行うようにしたとすると、使用者は極めて慎重に所定の位置で直線的に指示体７を動かさなければならず、これでは使い勝手が悪い。そこで、このような不具合を生じないために、例えば図４に示すように、線表示用画素１２の上下を含む数ライン内の領域Ｔに指示体７が接触したことを位置検出手段５が検出したときには、ディスプレイコントローラ６が「ＡＢ」の行の下に線が引かれたものと認識するようにしておくことが望ましい。この構成とすれば、使用者が線を引く際にそれ程慎重になる必要がなく、使い勝手が良い。
【００２７】
このように、本実施形態の表示装置１によれば、画像間の所望の位置に横線を引くことができるため、例えば注意を喚起したい箇所等にアンダーライン（下線）を引いてマーキングしたいといった使用者の要望を満足することができる。
【００２８】
［第２の実施の形態］
以下、本発明の第２の実施の形態を図５、図６を参照して説明する。
本実施形態の表示装置の基本構成は第１実施形態と同様であり、走査線ドライバの構成と走査方法が異なるのみであるため、その部分のみを説明する。
図５は本実施形態の表示装置の表示部と走査線ドライバの構成を示す図である。図６はモード切り換えの手順を示すフローチャートである。
【００２９】
本実施形態の表示装置において、電気泳動ディスプレイからなる表示部２の構成は、図５に示すように、第１実施形態の図３と同様である。そして、走査線ドライバ３は、順次接続された複数のシフトレジスタ２７，２８と、不図示のレベルシフタ、バッファ等から構成されている。本実施形態では、複数のシフトレジスタ２７，２８を接続する配線を２系統設けている。すなわち、一つの系統は通常モード用配線２９であり、通常表示部１３のラインに対応するシフトレジスタ２７と線表示部１４のラインに対応するシフトレジスタ２８とを区別することなく、全てのシフトレジスタ２７，２８を順次接続している配線である。他の一つの系統は赤下線引きモード用配線３０であり、線表示部１４のラインに対応するシフトレジスタ２８のみを接続している配線である。このような配線構成によれば、本表示装置による表示を、通常モードと赤下線引きモードのいずれかのモードで行うことができる。
【００３０】
また、線表示部１４のラインに対応するシフトレジスタ２８には入出力切り換えスイッチ（図示せず）が設けられている。通常モードでは、通常モード用配線２９上の入出力切り換えスイッチをＯＮ状態とし、赤下線引きモード用配線３０上の入出力切り換えスイッチをＯＦＦ状態とする。一方、赤下線引きモードでは、通常モード用配線２９上の入出力切り換えスイッチをＯＦＦ状態とし、赤下線引きモード用配線３０上の入出力切り換えスイッチをＯＮ状態とする。
【００３１】
本実施形態の表示装置で表示を行う場合、まず最初に、画像の書き換えに先立って、全てのシフトレジスタ２７，２８の出力（すなわち走査線の状態）を、一旦非選択状態にクリアしておく。そして、通常モードでは、走査線ドライバ３の通常モード用配線２９を利用して、全てのシフトレジスタ２７，２８を経由して全ての走査線を順次選択状態にする。このとき、線表示部１４は例えば白表示とする。この通常モードから、赤下線引きモードに設定が移行する（図６のステップＳ１）。この赤下線引きモードへの設定の移行は、例えば通常モードの表示完了後、所定の時間を経て自動的に行われる構成として良いし、使用者がモード切り換えボタン等を操作することで意図的に切り換える構成としても良い。
【００３２】
赤下線引きモードでは、走査線ドライバ３の赤下線引きモード用配線３０を選択した上で、ペンによる入力を待ち受ける。ペン入力を検出すると、ディスプレイコントローラ６は、線が引かれた画面上の位置、長さ等の情報から線表示用の制御信号を生成し、データ線ドライバ４に向けて送信する。一方、走査線ドライバ３は、赤下線引きモード用配線３０を利用して、通常表示部１３に対応するシフトレジスタ２７を飛び越し、線表示部１４に対応するシフトレジスタ２８のみを経由して線表示部１４の走査線のみを順次選択状態にし、所定の位置に赤線を表示する。このとき、本実施形態の表示部２として、記憶性表示体である電気泳動ディスプレイが用いられているため、通常表示部１３の走査線は常に走査されていなくても、本来の画像は保持されている。
【００３３】
次に、使用者がボタンを押すなどして、ページ送り指示がなされると（図６のステップＳ２）、通常モードに設定を切り換えて、走査線ドライバ３では通常モード用配線２９が選択される（図６のステップＳ３）。なお、ページ送り指示がなされない間は、さらにペンによる入力を待ち受ける状態を続行する。通常モードに設定が切り換わった後、表示部２は新しいページの画像に書き換えられる（図６のステップＳ４）。書き換えが終了すると、再度赤下線引きモードに設定が移行し、ペン入力を待ち受ける。後はこの手順を繰り返す。以上の動作は、ディスプレイコントローラ６の制御により実行される。
【００３４】
本実施形態の表示装置によれば、走査線ドライバ３が通常表示部１３の走査線を飛び越して、線表示部１４の走査線のみを走査するため、赤線を引く際の描画速度を速めることができる。これにより、例えば使用者が違和感やじれったさを感じることなく、ペンがなぞるのと略同時に赤線が表示されるので、本装置を快適に使用することができる。
【００３５】
［第３の実施の形態］
以下、本発明の第３実施形態を図７を参照して説明する。
以下の第３〜第５実施形態の表示装置の基本構成は第１実施形態と同様であり、画素の構成が異なるのみであるため、その部分について説明する。
図７は本実施形態の表示装置の表示部の構成を示す図である。
【００３６】
第１、第２実施形態の表示部は、通常表示部、線表示部に拘わらず、データ線の延在方向（表示する赤線の幅方向）の画素ピッチは一定であった。これに対し、本実施形態の表示部３０は、図７に示すように、データ線の延在方向における線表示部３４の画素ピッチＰ１が通常表示部３３の画素ピッチＰ２よりも小さくなっている。本実施形態では、線表示部３４の画素ピッチＰ１が通常表示部３３の画素ピッチＰ２の１／２程度となっているが、これは１／２に限るものではなく、適宜設定することができる。
【００３７】
本発明の表示装置の場合、線表示部を構成する線表示用画素は通常表示用画素と同色の表示ができないため、画像の表示に完全には寄与できない。したがって、場合によっては線表示部が画像の表示の解像度やコントラストを低下させる原因となる虞がある。その点、本実施形態の構成によれば、線表示部３４の画素ピッチＰ１が通常表示部３３の画素ピッチＰ２よりも小さいため、本来の画像の表示の解像度やコントラストの低下を小さく抑えることができる。また、画像が線表示部３４を跨るような場合、例えば図４に示した「ＡＢＣＤ」等の文字を線表示部３４を跨ぐ位置に表示しなければならない場合であっても、画像の欠損を最小限に抑えて、画像（例えば文字の形や識別性）をそれ程損ねることなく表示することができる。また、走査線の本数が増えるわけではないので、装置の構造や制御を複雑にすることなく実現が可能である。
【００３８】
なお、図示は省略するが、本実施形態とは逆に、線表示部の画素ピッチが通常表示部の画素ピッチよりも大きい構成としても良い。この場合、赤線をしっかりと太く描くことができ、アンダーラインを強調したいときなどに好適である。
【００３９】
［第４の実施の形態］
以下、本発明の第４実施形態を図８を参照して説明する。
図８は本実施形態の表示装置の表示部の構成を示す図である。
【００４０】
第１〜第３実施形態の線表示部は、走査線の延在方向に並ぶ全ての画素が線表示用画素、すなわち赤表示と白表示が可能な画素であった。これに対し、本実施形態の表示部４０は、図８に示すように、線表示部４４の走査線の延在方向に並ぶ複数の画素のうち、線表示用画素１２の間に１個おきに通常表示用画素１１が混在している。さらに、線表示部４４は２ライン隣接して設けられている。隣接する２ラインの線表示部４４についてデータ線の延在方向に隣接する２個の画素を見ると、線表示用画素１２同士、通常表示用画素１１同士は隣り合わず、線表示用画素１２と通常表示用画素１１とが隣り合うようになっている。すなわち、この２ラインにおいて、線表示用画素１２および通常表示用画素１１は千鳥状に配置されている。
【００４１】
本実施形態の構成によれば、線表示部４４の中で線表示用画素１２が連続して存在する割合が先の実施形態に比べて１／２に小さくなるため、上述したように画像が線表示部４４を跨るような場合、線表示部４４内における表示の解像度やコントラストの低下を小さく抑えることができる。また、通常表示と線表示とが若干混ざったような効果、いわゆる「ぼかし」の効果が生じるため、画像の欠損による違和感を抑えることができる。
【００４２】
なお、第４、第５実施形態においては、線表示部を２ラインで構成したが、１ラインで構成しても良いし、３ライン以上で構成しても良い。さらに、１ラインの線表示部を見たときに、第４、第５実施形態では通常表示用画素と線表示用画素の混合の比率を１：１にしたが、１：１以外に設定しても良い。すなわち、線表示部を構成するライン数、１ライン中の両画素の混合比率等は、「通常表示の表示品位の維持」、「線表示の強調」のいずれを重視するかによって適宜決定すればよい。
【００４３】
［第５の実施の形態］
以下、本発明の第５実施形態を図９を参照して説明する。
図９は本実施形態の表示装置の表示部の構成を示す図である。
【００４４】
本実施形態の表示部５０において、線表示部５４は、線表示用画素５２および通常表示用画素５１が千鳥状に配置された２ラインで構成されている点は第４実施形態と同様である。ただし、図８に示した第４実施形態の線表示部４４のデータ線の延在方向の画素ピッチは通常表示部４３と同じであったのに対し、本実施形態の線表示部５４のデータ線の延在方向の画素ピッチＰ３は、２ラインともに通常表示部５３の画素ピッチＰ４の１／２に縮小されている。
【００４５】
本実施形態の構成によれば、線表示部５４の画素ピッチＰ３が通常表示部５３の画素ピッチＰ４よりも小さくなっているため、表示の解像度やコントラストの低下を抑える効果、画像の欠損による違和感を抑える効果を第４実施形態よりもさらに高めることができる。したがって、アンダーラインはさほど目立たなくても、本来の画像の表示品質を落としたくない用途に好適である。
【００４６】
［電子機器］  
次に、本発明に係る電子機器について説明する。  
図１０は電子ペーパー５００の構成を示す斜視図である。電子ペーパー５００は、上記実施形態の電気泳動表示装置を表示部５０１として備えている。電子ペーパー５００は可撓性を有し、従来の紙と同様の質感及び柔軟性を有する書換え可能なシートからなる本体５０２を備えて構成されている。
この構成によれば、使用者が紙等の印刷物と同等な感覚でアンダーラインを引くなどして使うことができ、電子ペーパー等に好適な電子機器を実現することができる。
【００４７】
なお、本発明の技術範囲は上記実施の形態に限定されるものではなく、本発明の趣旨を逸脱しない範囲において種々の変更を加えることが可能である。例えば上記実施形態では横書きの文章に下線を引くことを想定して説明したが、複数の線表示用画素を画面の垂直方向に配列し、縦書きの文章に横線を引くものを構成しても良い。このとき、走査線、データ線の構成は上記実施形態と同様でも良いし、上記実施形態とは逆に、走査線を画面の垂直方向に延在させ、データ線を画面の水平方向に延在させる構成としても良い。
【００４８】
また、上記実施形態では、画像が線表示部を跨る場合に線表示用画素を白表示にすると説明したが、赤表示にしても良い。また、全画面を黒表示にしたい場合には線表示を赤表示にしてその部分を赤っぽくするか、白のままにするしかなく、いずれにしてもコントラストが低下する。したがって、上記実施形態の構成では、基本的に背景が白である画像を主に表示することが望ましい。表示色については、上記実施形態に限らず、例えば青と白によるモノクロ表示に緑色の線を引く等、適宜変更が可能である。その他、画素ピッチ等についても適宜設計変更することができる。
【００４９】
また、カラー表示の方式としては、カラーフィルタ方式であっても良い。この場合、画素は白黒２種の電気泳動粒子を備えた電気泳動シートの上にカラーフィルタを実装した構成とする。カラーフィルタは、線表示用画素の上だけ赤色に着色し、他の部分は無色透明のものを用いる。カラーフィルタ方式の場合、線表示用画素は赤／黒の切り換えとなるため、線表示部のうち赤線を引いていない箇所は黒く表示するしかない。すなわち、全画面が白表示時にも線表示部が黒くなってしまうため、反射率が低下するというデメリットがある。その反面、カラーフィルタ方式の場合には電気泳動シート側は線表示用画素を作り分ける必要がないため、電気泳動シートの作成が簡単になるというメリットがある。
【００５０】
また、上記実施形態では、アクティブマトリクス型の電気泳動ディスプレイの例を挙げたが、駆動用ＴＦＴを持たず、複数のデータ線（データ電極）と複数の走査線（走査電極）が各基板にそれぞれ設けられた単純マトリクス（パッシブマトリクス）型の電気泳動ディスプレイにも本発明を適用可能である。単純マトリクス型の場合、線表示部以外の領域を全て非選択状態とし、線表示部のみを順次選択状態とすればよい。さらに、上記実施形態では、表示部の例として電気泳動ディスプレイの例を挙げたが、その他、マルチカラー表示が可能なディスプレイに本発明を適用することが可能である。特にトナーディスプレイの場合には、電気泳動ディスプレイと同様、赤白表示が可能な画素を形成することができる。
【図面の簡単な説明】
【００５１】
【図１】本発明の第１実施形態の表示装置の概略構成図である。
【図２】表示部を構成する電気泳動表示体の断面図である。
【図３】同表示部の画素構成を示す平面図である。
【図４】同表示部による表示の一例を示す図である。
【図５】本発明の第２実施形態の表示装置の画素構成を示す平面図である。
【図６】同表示装置の動作を説明するためのフローチャートである。
【図７】本発明の第３実施形態の表示装置の画素構成を示す平面図である。
【図８】本発明の第４実施形態の表示装置の画素構成を示す平面図である。
【図９】本発明の第５実施形態の表示装置の画素構成を示す平面図である。
【図１０】本発明の電子機器の一例を示す斜視図である。
【符号の説明】
【００５２】
１…表示装置、２，３０，４０，５０…表示部、３…走査線ドライバ、４…データ線ドライバ、５…位置検出手段、６…ディスプレイコントローラ、７…指示体、１１，５１…通常表示用画素、１２，３２，５２…線表示用画素、１３，３３，４３，５３…通常表示部、１４，３４，４４，５４…線表示部。
【図１】
2009237395.tif 000003
【図２】
2009237395.tif 000004
【図３】
2009237395.tif 000005
【図４】
2009237395.tif 000006
【図５】
2009237395.tif 000007
【図６】
2009237395.tif 000008
【図７】
2009237395.tif 000009
【図８】
2009237395.tif 000010
【図９】
2009237395.tif 000011
【図１０】
2009237395.tif 000012